(57)【要約】【課題】圧力感知機能を備えるタッチパネルを提供する。【解決手段】タッチパネルは表面側から順に、ガラス基板１１、遮蔽層１２、電極層１３、感圧層１５、光学フィルム層１４を備え、ガラス基板１１は第一平面１１１及び第二平面１１２を備え、第一平面１１１にはタッチエリア１１ａ及び非タッチエリア１１ｂを区画し、非タッチエリア１１ｂはタッチエリア１１ａに隣接し、遮蔽層１２はガラス基板１１の第二平面１１２の非タッチエリア１１ｂに設置され、電極層１３はガラス基板１１の第二平面１１２に設置され、電極層１３は複数の第一電極１３１及び複数の第二電極１３２及び複数の金属導線１３３を備え、第一、二電極は１３１、１３２、各金属導線１３３と選択的に電気的に接続され、光学フィルム層１４は電極層１３を覆い、感圧層１５は非タッチエリア１１ｂに設置され、感圧層１５を通してタッチパネルは圧力感知作用を備える。【選択図】図１
0003200442.tif 000002
【実用新案登録請求の範囲】
【請求項１】
タッチパネルは、表面側から順にガラス基板、遮蔽層、電極層、光学フィルム層、感圧層を備え、
該ガラス基板は、上、下両側をそれぞれ第一平面、及び第二平面として、該第一平面には、タッチエリア、及び非タッチエリアを区画し、該非タッチエリアは、該タッチエリアに隣接し、
該遮蔽層は、該ガラス基板の第二平面の非タッチエリアに設置され、
該電極層は、該ガラス基板の第二平面に設置され、該電極層は、複数の第一電極及び複数の第二電極及び複数の金属導線を備え、該第一、二電極は、該各金属導線と選択的に電気的に接続され、
該光学フィルム層は、該電極層を覆い、
該感圧層は、該非タッチエリアに設置されることを特徴とするタッチパネル。
【請求項２】
前記感圧層は、該遮蔽層の該ガラス基板と反対の側に設置され、該電極層と相互に平行であることを特徴とする請求項１に記載のタッチパネル。
【請求項３】
前記感圧層は、該光学フィルム層の該電極層に反対の側に設置することを特徴とする請求項１に記載のタッチパネル。
【請求項４】
前記非タッチエリアは、該タッチエリア外側に設置されることを特徴とする請求項１に記載のタッチパネル。
【請求項５】
前記感圧層は、該光学フィルム層と並列して設置されることを特徴とする請求項１に記載のタッチパネル。
【考案の詳細な説明】
【技術分野】
【０００１】
本考案はタッチパネルに関し、特に圧力感知機能を備えるタッチパネルに関する。
【背景技術】
【０００２】
タッチパネルは普通、レジスター式とキャパシタ式に大きく分けられる。
レジスター式は、プッシュ方式でタッチを行い、その感知効果はキャパシタ式タッチパネルのタッチに比べ精度が劣る。
【０００３】
しかし、キャパシタ式タッチパネルにも欠点はある。
使用者が手袋を着用している、或いは指に水がついている時には、対応するタッチ反応をフィードバックすることができない。
しかも、触れられた位置（Ｘ、Ｙ方向）しか判断できず、触れられた力の大きさを感知することはできない。
これはつまり、現行のキャパシタ式タッチパネルでは、二段階、三段階のメニューを一度に開けないということを示している。
これでは、ますます高まっているヒューマンコンピュータインタラクションの応用に対するニーズに応えることはできない。
使用者は、より簡単でより便利でスピーディーなヒューマンコンピュータインタラクション体験を求めている。
こうして、多くのヒューマンコンピュータインタラクションアプリケーションプログラムが生まれた。
【０００４】
現行のキャパシタ式タッチパネルは、手指の動きを通して、機能の補助操作を行っているが、圧力の感知（ユーザータッチ時の圧力識別）については探知できず、他の機能は、「クリックとタッチ」により、異なる操作を行わなければならない。
【０００５】
圧力感知を核心機能として増設できるなら、「プッシュとタッチ」操作は「右クリック」モードとすることができ、文書操作及びゲームのプレイ時、使用者により便利なツール或いは体験を提供することができる。
もし、タッチパネル上でマウスの右ボタンを操作するようにできれば、使用者の操作習慣と体験をさらに変えられ、しかもＰＣと比較した場合の操作性のギャップを縮めることができる。
【０００６】
しかし、圧力感知機能は、タッチパネル上に未だ正式に結合されておらず、圧力センサーのタッチエンドへの搭載も未だ完成されていない技術である。
本考案は、従来のタッチパネルの上記した欠点に鑑みてなされたものである。
【先行技術文献】
【特許文献】
【０００７】
【特許文献１】ＷＯ２０１３／０２１８３５号公報
【特許文献１】ＷＯ２０１２／１７６７４８号公報
【考案の概要】
【考案が解決しようとする課題】
【０００８】
本考案が解決しようとする課題は、圧力感知機能をタッチパネル上に統合するタッチパネルを提供することである。
【課題を解決するための手段】
【０００９】
上記課題を解決するため、本考案は下記のタッチパネルを提供する。
タッチパネルは、ガラス基板、遮蔽層、電極層、光学フィルム層、感圧層を備え、
該ガラス基板は、上、下両側にそれぞれ設置される第一平面、及び第二平面を備え、該第一平面には、タッチエリア及び非タッチエリアを定義し、該非タッチエリアは、該タッチエリアに隣接し、
該遮蔽層は、該ガラス基板の第二平面の非タッチエリアに設置され、
該電極層は、該ガラス基板の第二平面に設置され、該電極層は、複数の第一電極及び複数の第二電極及び複数の金属導
線を備え、
該第一、二電極は、該各金属導線と電気的に接続し、
該光学フィルム層は、該電極層を覆い、
該感圧層は、該非タッチエリアに設置される。
【考案の効果】
【００１０】
本考案のタッチパネルは、感圧層をタッチパネルに設置して統合する一体設計を通して、従来のように、手指の動きによりタッチ機能を操作できる他、圧力感知の機能を提供でき、タッチパネルは新しい操作コントロール効果を実現することができる。
【図面の簡単な説明】
【００１１】
【図１】本考案タッチパネルの第一実施形態の立体分解図である。
【図２】本考案タッチパネルの第一実施形態の組合せ断面図である。
【図３】本考案タッチパネルの第二実施形態の組合せ断面図である。
【図４】本考案タッチパネルの第三実施形態の組合せ断面図である。
【考案を実施するための形態】
【００１２】
以下に図面を参照しながら本考案を実施するための最良の形態について詳細に説明する。
【実施例】
【００１３】
図１、２は、本考案タッチパネルの第一実施形態の立体分解図及び組合せ断面図である。
【００１４】
図に示すように、タッチモジュール１は、ガラス基板１１、遮蔽層１２、電極層１３、光学フィルム層１４、感圧層１５を備える。
【００１５】
該ガラス基板（ＰＥＴでも良い）１１は、該ガラス基板１１の上、下両側の第一平面１１、及び第二平面１２を備え、該第一平面１１１には、タッチエリア１１ａ、及び非タッチエリア１１ｂを区画する。
【００１６】
該非タッチエリア１１ｂは、該タッチエリア１１ａに隣接して該タッチエリア１１ａ外側に設置される。
【００１７】
該遮蔽層１２は、該ガラス基板１１第二平面１１２の非タッチエリア１１ｂに設置され、該タッチエリア１１ａ外側を取り囲んで設置する。
【００１８】
該電極層１３は、該ガラス基板１１の第二平面１１２に設置され、該電極層１３は、複数の第一電極１３１及び複数の第二電極１３２及び複数の金属導線１３３を備える。
【００１９】
該第一、二電極１３１、１３２は、該各金属導線１３３と選択的に電気的に接続され、該第一、二電極１３１、１３２及び該各金属導線１３３は、隣接して設置され、且、該第一、二電極１３１、１３２は相互に接触、接続しない。
【００２０】
該感圧層１５は、該非タッチエリア１１ｂに設置され、該感圧層１５は、該電極層１３と平行に設置される。
【００２１】
本実施形態では、該感圧層１５を、該遮蔽層１２の該ガラス基板１１に反対の側に設置し、該非タッチエリア１１ｂに対応する。
【００２２】
該第一、二電極１３１、１３２は、該タッチエリア１１ａに設置され、該感圧層１５と該光学フィルム層１４とは、相互に並列接続する。
【００２３】
図３は、本考案タッチパネルの第二実施形態の組合せ断面図である。
【００２４】
図に示すように、本実施形態の構造の一部は、前述の第一実施形態と相同であるため、ここでは再度の記述はしないが、本実施形態と前述の第一実施形態との異なる点は、該感圧層１５が該光学フィルム層１４の該電極層１３に反対の側に設置する点である。
【００２５】
図４は、本考案タッチパネルの第三実施形態の組合せ断面図である。
【００２６】
図に示すように、本実施形態の構造の一部は、前述の第一実施形態と相同であるため、ここでは再度の記述はしないが、本実施形態と前述の第一実施形態との異なる点は、該部分電極層１３と該感圧層１５とは、非タッチエリア１１ｂの遮蔽層１２下方に対応して設置され、しかも該感圧層１５と該電極層１３とは、相互に並列接続され、該光学フィルム層１４は該電極層１３片側に覆われる点である。
【００２７】
圧力感知による動作においては、使用者が片手で大画面の携帯電話を操作する時、一本の指で携帯電話に対してウィンドウ或いは図の拡大或いは縮小、或いは音量の大きさの調整が行え、これによりタッチパネルの操作の利便性及び変化性を向上させられる。
【００２８】
また、圧力感知の方式を通して、グラフィック作業のラインの太さの変化、或いは手書き字体の太さの変化を補助でき、使用者の手書き字体の識別度を高めることができる。
【００２９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３１】
１  タッチモジュール
１１  ガラス基板
１１ａ  タッチエリア
１１ｂ  非タッチエリア
１１１  第一平面
１１２  第二平面
１２  遮蔽層
１３  電極層
１３１  第一電極
１３２  第二電極
１３３  金属導線
１４  光学フィルム層
１５  感圧層
【図１】
0003200442.tif 000003
【図２】
0003200442.tif 000004
【図３】
0003200442.tif 000005
【図４】
0003200442.tif 000006
【手続補正書】
【提出日】平成27年8月19日(2015.8.19)
【手続補正１】
【補正対象書類名】実用新案登録請求の範囲
【補正対象項目名】請求項５
【補正方法】変更
【補正の内容】
【請求項５】
前記感圧層は、該光学フィルム層と積層して設置されることを特徴とする請求項１に記載のタッチパネル。